(57)【要約】      （修正有）【課題】複数のスレーブ装置のＩＤ番号を容易に登録できる自動検針システムを提供する。【解決手段】通信線３ａ，３ｂにより直列に接続された複数のスレーブ装置２−１〜２−ｎ、複数のスレーブ装置と通信して自動検針を行うマスタ装置１を備え、各スレーブ装置は、通信線に直列に接続され通常動作時にオンしメンテナンスモード時にオフするスイッチ回路４−１〜４−ｎ、通信回路２１−１〜２１−ｎ、制御部を有し、通信回路がマスタ装置からメンテナンスモード設定電文を受信すると、制御部は、メンテナンスモードに入りスイッチ回路をオフさせ、通信回路は、マスタ装置からメンテナンスモード時のスレーブ装置のみが受け付けるためのメンテナンス用識別番号確認電文を受信すると、当該スレーブ装置の識別番号をマスタ装置に返信し、マスタ装置からメンテナンスモード切替電文を受信すると、制御部は通常動作に切り替えてスイッチ回路をオンさせる。【選択図】図１
2020057142.tif 000002
【特許請求の範囲】
【請求項１】
各々が通信線により直列に接続された複数のスレーブ装置と、
前記通信線により前記複数のスレーブ装置と所定の通信方式で通信して自動検針を行うマスタ装置とを備え、
前記複数のスレーブ装置の各々は、前記通信線に直列に接続され通常動作時にオンしメンテナンスモード時にオフするスイッチ回路と、第１通信回路と、第１制御部とを有し、
前記第１通信回路が前記マスタ装置からメンテナンスモード設定電文を受信すると、前記第１制御部は、メンテナンスモードに入り前記スイッチ回路をオフさせ、
前記第１通信回路は、前記マスタ装置からメンテナンスモード時のスレーブ装置のみが受け付けるためのメンテナンス用識別番号確認電文を受信すると、当該スレーブ装置の識別番号を前記マスタ装置に返信し、前記マスタ装置からメンテナンスモード切替電文を受信すると、前記第１制御部は通常動作に切り替えて前記スイッチ回路をオンさせることを特徴とする自動検針システム。
【請求項２】
さらに、前記第１通信回路は、前記マスタ装置からメンテナンス用識別番号確認電文を受信すると、当該スレーブ装置の識別番号を前記マスタ装置に返信し、前記マスタ装置からメンテナンスモード切替電文を受信すると、前記第１制御部は通常動作に切り替えて前記スイッチ回路をオンさせる処理を、繰り返し実行することを特徴とする請求項１記載の自動検針システム。
【請求項３】
前記マスタ装置は、第２通信回路と、記憶部と、第２制御部とを有し、
前記第２通信回路は、前記メンテナンスモード設定電文を前記複数のスレーブ装置に送信し、前記メンテナンス用識別番号確認電文を前記複数のスレーブ装置に送信し、前記スレーブ装置から返信されてくる前記識別番号を受信し、前記第２制御部は、前記記憶部に前記スレーブ装置毎に前記識別番号を記憶させることを特徴とする請求項１又は請求項２記載の自動検針システム。
【請求項４】
前記所定の通信方式は、ＲＳ４８５をインターフェイスとする通信方式であることを特徴とする請求項１乃至請求項３のいずれか１項記載の自動検針システム。
【発明の詳細な説明】
【技術分野】
【０００１】
本発明は、マスタ装置からの検針要求に応じてスレーブ装置の検針データをマスタ装置に送信する自動検針システムに関する。
【背景技術】
【０００２】
特許文献１には、端末網制御装置が記載されている。この端末網制御装置は、図６に示すように、任意種類の端末装置１０７ａ，１０７ｂを接続できるとともに、端末装置１０７ａ等の接続の有無を自動検出し、接続が確認された端末装置、例えば端末装置１０７ａと通信して、端末装置１０７ａとの通信を要求する。
【０００３】
例えば、通信速度、電送方式等の情報を端末装置１０７ａから求め、全体の動作を制御する端末制御手段１０４に与える。接続された端末装置、例えば１０７ａからはその種類のみ情報として求め、通信に要する他の情報を回線通信手段１０５により電話回線１０２を介してセンタ端末１０１から求めて記憶することができる。それらの情報のもとに端末インターフェイス手段１０６を制御して、接続された任意の種類の端末装置と通信する。
【０００４】
また、例えばＲＳ４８５をインターフェイスとする通信機能付電力量計において、自動検針を行う場合、電力量計を設置した後に、マスタ装置（センタ装置）に通信用のＩＤ番号を登録している。
【先行技術文献】
【特許文献】
【０００５】
【特許文献１】特開平９−３２６８７０号公報
【発明の概要】
【発明が解決しようとする課題】
【０００６】
しかしながら、ＩＤ番号の登録作業に手間がかかっていた。また、電力量計の設置場所に誤りがあった場合、通信できず、再度、電力量計の設置場所に行って設置場所が正しいかどうかを確認する必要がある。また、電力量計の設置場所に入れ違いがある場合には、ＩＤ番号の登録が完了しているため、通信が可能である。このため、電力量計の設置場所の入れ違いを発見できない可能性がある。
【０００７】
本発明の課題は、マスタ装置に複数のスレーブ装置の通信用のＩＤ番号を容易に登録できる自動検針システムを提供する。
【課題を解決するための手段】
【０００８】
上記課題を解決するために、本発明に係る請求項１の自動検針システムは、各々が通信線により直列に接続された複数のスレーブ装置と、前記通信線により前記複数のスレーブ装置と所定の通信方式で通信して自動検針を行うマスタ装置とを備え、前記複数のスレーブ装置の各々は、前記通信線に直列に接続され通常動作時にオンしメンテナンスモード時にオフするスイッチ回路と、第１通信回路と、第１制御部とを有し、前記第１通信回路が前記マスタ装置からメンテナンスモード設定電文を受信すると、前記第１制御部は、メンテナンスモードに入り前記スイッチ回路をオフさせ、前記第１通信回路は、前記マスタ装置からメンテナンスモード時のスレーブ装置のみが受け付けるためのメンテナンス用識別番号確認電文を受信すると、当該スレーブ装置の識別番号を前記マスタ装置に返信し、前記マスタ装置からメンテナンスモード切替電文を受信すると、前記第１制御部は通常動作に切り替えて前記スイッチ回路をオンさせることを特徴とする。
【０００９】
請求項２の発明では、さらに、前記第１通信回路は、前記マスタ装置からメンテナンス用識別番号確認電文を受信すると、当該スレーブ装置の識別番号を前記マスタ装置に返信し、前記マスタ装置からメンテナンスモード切替電文を受信すると、前記第１制御部は通常動作に切り替えて前記スイッチ回路をオンさせる処理を、繰り返し実行することを特徴とする。
【００１０】
請求項３の発明では、前記マスタ装置は、第２通信回路と、記憶部と、第２制御部とを有し、前記第２通信回路は、前記メンテナンスモード設定電文を前記複数のスレーブ装置に送信し、前記メンテナンス用識別番号確認電文を前記複数のスレーブ装置に送信し、前記スレーブ装置から返信されてくる前記識別番号を受信し、前記第２制御部は、前記記憶部に前記スレーブ装置毎に前記識別番号を記憶させることを特徴とする。
【００１１】
請求項４の発明では、前記所定の通信方式は、ＲＳ４８５をインターフェイスとする通信方式であることを特徴とする。
【発明の効果】
【００１２】
本発明の自動検針システムによれば、各スレーブ装置の第１通信回路がマスタ装置からメンテナンスモード設定電文を受信すると、第１制御部は、メンテナンスモードに入りスイッチ回路をオフさせる。このため、マスタ装置と通信線とが繋がっているスレーブ装置は、マスタ装置に物理的に最も近い位置にある第１スレーブ装置のみとなる。
【００１３】
第１スレーブ装置の第１通信回路がマスタ装置からメンテナンス用識別番号確認電文を受信すると、当該第１スレーブ装置の識別番号をマスタ装置に返信し、マスタ装置からメンテナンスモード切替電文を受信すると、第１スレーブ装置の第１制御部は通常動作に切り替えてスイッチ回路をオンさせる。
【００１４】
さらに、スレーブ装置の第１通信回路がマスタ装置からメンテナンス用識別番号確認電文を受信すると、当該スレーブ装置の識別番号をマスタ装置に返信し、マスタ装置からメンテナンスモード切替電文を受信すると、スレーブ装置の第１制御部は通常動作に切り替えてスイッチ回路をオンさせる処理を、繰り返し実行する。
【００１５】
これにより、スレーブ装置の結線順の確認と各スレーブ装置の識別番号のマスタ装置への登録が可能となる。
【図面の簡単な説明】
【００１６】
【図１】本発明の実施例１に係る自動検針システムの構成ブロック図である。
【図２】実施例１に係る自動検針システムのマスタ装置の詳細な構成ブロック図である。
【図３】実施例１に係る自動検針システムの各スレーブ装置の詳細な構成ブロック図である。
【図４】実施例１に係る自動検針システムのマスタ装置と各スレーブ装置の各処理を示す図である。
【図５】本発明の実施例２に係る自動検針システムの構成ブロック図である。
【図６】従来の端末網制御装置の構成ブロック図である。
【発明を実施するための形態】
【００１７】
以下、本発明の実施の形態に係る自動検針システムについて、図面を参照しながら詳細に説明する。
【００１８】
（実施例１）
図１は、本発明の実施例１に係る自動検針システムの構成ブロック図である。自動検針システムは、マスタ装置１と複数のスレーブ装置２−１〜２−ｎとを備えている。複数のスレーブ装置２−１〜２−ｎは、例えば電力量計であり、各々が通信線３ａ，３ｂにより直列に接続されている。通信線３ａ，３ｂは、ＲＳ４８５通信線である。
【００１９】
各スレーブ装置２−１〜２−ｎは、マスタ装置１からの指令に応じて、電力量を通信線３ａ，３ｂを介してマスタ装置１に送信する。また、各スレーブ装置２−１〜２−ｎは、マスタ装置１からの電文に応じて、自己のスレーブ装置のＩＤ番号（識別番号）を通信線３ａ，３ｂを介してマスタ装置１に送信する。各スレーブ装置２−１〜２−ｎのＩＤ番号のマスタ装置１への登録の詳細については、後述する。
【００２０】
マスタ装置１は、センタ装置であり、通信線３ａ，３ｂにより複数のスレーブ装置２−１〜２−ｎに接続され、通信線３ａ，３ｂを介して複数のスレーブ装置２−１〜２−ｎと所定の通信方式で通信して自動検針を行う。所定の通信方式は、ここでは、ＲＳ４８５をインターフェイスとする通信方式である。通信線３ａ，３ｂは、ＲＳ４８５通信線からなる。
【００２１】
なお、実施例では、複数のスレーブ装置２−１〜２−ｎとして電力量計を例示するが、電力量計に限定されることなく、ＲＳ４８５通信機能付きの機器全てに有効である。
【００２２】
マスタ装置１は、通信回路１１を有し、複数のスレーブ装置２−１〜２−ｎは、複数の通信回路２１−１〜２１−ｎを有し、通信回路１１と複数の通信回路２１−１〜２１−ｎとは、通信線３ａを介して接続されている。
【００２３】
複数の通信回路２１−１〜２１−ｎは、通信線３ｂに直列に接続されたスイッチ回路４−１〜４−ｎを有している。
【００２４】
図２は、実施例１に係る自動検針システムのマスタ装置１の詳細な構成ブロック図である。マスタ装置１は、通信回路１１、制御部１２、入力部１３、記憶部１４、表示部１５を有する。
【００２５】
通信回路１１は、通信線３ａ，３ｂを介して複数の通信回路２１−１〜２１−ｎに接続され、複数の通信回路２１−１〜２１−ｎと通信を行う。入力部１３は、電力量の検針要求情報やＩＤ番号要求情報等を入力して制御部１２に出力する。
【００２６】
制御部１２は、入力部１３からの検針要求情報やＩＤ番号要求情報に基づき、送信要求電文、メンテナンスモード設定電文、メンテナンス用ＩＤ確認電文、メンテナンスモード切替電文等を作成し、通信回路１１に出力する。
【００２７】
メンテナンスモード設定電文は、スレーブ装置２の通常動作からメンテナンスモード（保守作業を行うモード）に入るための電文であり、スイッチ回路４をオフさせるためのフラグ情報、例えば“０”が付加されている。メンテナンスモード切替電文は、スレーブ装置２のメンテナンスモードから通常動作に切り替えるための電文であり、スイッチ回路４をオンさせるためのフラグ情報、例えば“１”が付加されている。メンテナンス用ＩＤ確認電文は、メンテナンスモード時のスレーブ装置のみが受け付ける電文で、スレーブ装置のＩＤを確認するための電文である。
【００２８】
制御部１２は、通信回路１１から送られてくる各スレーブ装置２−１〜２−ｎのＩＤ番号を記憶部１４に記憶させる。表示部１５は、液晶表示器等により構成され、電力量等を表示する。
【００２９】
図３は、実施例１に係る自動検針システムの各スレーブ装置の詳細な構成ブロック図である。各スレーブ装置２（２−１〜２−ｎ）は、通信回路２１（２１−１〜２１−ｎ）、スイッチ回路４（４−１〜４−ｎ）、制御部２２、入力部２３、記憶部２４、計量部２５を有する。
【００３０】
通信回路２１は、通信線３ａ，３ｂを介してマスタ装置１からの送信要求電文やメンテナンスモード設定電文、メンテナンス用ＩＤ確認電文等を受信し、受信した電文を制御部２２に出力する。
【００３１】
制御部２２は、受信した送信要求電文に応じて計量部２５で演算された電力量データを通信回路２１に出力する。制御部２２は、受信したメンテナンスモード設定電文に基づきメンテナンスモードに入りスイッチ回路４をオフさせる。スイッチ回路４は、通常動作時にオンし、メンテナンスモード設定電文に基づくメンテナンスモード時にオフする。
【００３２】
入力部２３は、各種の情報を入力して制御部２２に出力する。記憶部２４は、自己のスレーブ装置２のＩＤ番号を記憶する。
【００３３】
通信回路２１は、マスタ装置１からメンテナンス用ＩＤ確認電文を受信し、制御部２２は、当該スレーブ装置２のＩＤ番号を記憶部２４から読み出して通信回路２１に出力する。通信回路２１は、当該スレーブ装置２のＩＤ番号をマスタ装置１に返信する。通信回路２１は、マスタ装置１からメンテナンスモード切替電文を受信すると、制御部２２は、メンテナンスモード切替電文に基づき通常動作に切り替えてスイッチ回路４をオンさせる。
【００３４】
次にこのように構成された実施例１の自動検針システムの動作を図４を参照しながら詳細に説明する。
【００３５】
まず、各スレーブ装置２−１〜２−ｎは、通常動作を行うので、スイッチ回路４−１〜４−ｎの全ては、オンする（ステップＳ１１）。
【００３６】
次に、各スレーブ装置２−１〜２−ｎの通信回路２１−１〜２１−ｎがマスタ装置１からメンテナンスモード設定電文を受信すると（ステップＳ１２）、制御部１２は、メンテナンスモードに入り（ステップＳ１３）、スイッチ回路４−１〜４−ｎをオフさせる（ステップＳ１４）。
【００３７】
このため、マスタ装置１と通信線３ａ，３ｂとが繋がっているスレーブ装置は、マスタ装置１に物理的に最も近い位置にあるスレーブ装置２−１のみとなる。スレーブ装置２−１の通信回路２１−１がマスタ装置１からメンテナンス用ＩＤ確認電文を受信すると（ステップＳ１５）、当該スレーブ装置２−１のＩＤ番号をマスタ装置１に返信する（ステップＳ１６）。
【００３８】
スレーブ装置２−１の通信回路２１−１がマスタ装置１からメンテナンスモード切替電文を受信すると（ステップＳ１７）、スレーブ装置２−１の制御部２２は通常動作に切り替えてスイッチ回路４−１をオンさせる（ステップＳ１８）。
【００３９】
さらに、マスタ装置１がメンテナンス用ＩＤ確認電文を通信線３ａ，３ｂを介してスレーブ装置２−１，２−２に送信すると、スレーブ装置２−１は、通常動作であるので、メンテナンス用ＩＤ確認電文を受信しない。
【００４０】
スレーブ装置２−２は、メンテナンスモードであるので、スレーブ装置２−２の通信回路２１−２がマスタ装置１からメンテナンス用ＩＤ確認電文を受信すると（ステップＳ１９）、当該スレーブ装置２−２のＩＤ番号をマスタ装置１に返信する（ステップＳ２０）。
【００４１】
次に、スレーブ装置２−２の通信回路２１−２がマスタ装置１からメンテナンスモード切替電文を受信すると（ステップＳ２１）、スレーブ装置２−２の制御部２２は通常動作に切り替えてスイッチ回路４−２をオンさせる（ステップＳ２２）。
【００４２】
さらに、マスタ装置１がメンテナンス用ＩＤ確認電文を通信線３ａ，３ｂを介してスレーブ装置２−１，２−２，２−３に送信すると、スレーブ装置２−１，２−２は、通常動作であるので、メンテナンス用ＩＤ確認電文を受信しない。
【００４３】
スレーブ装置２−３は、メンテナンスモードであるので、スレーブ装置２−３の通信回路２１−３がマスタ装置１からメンテナンス用ＩＤ確認電文を受信すると（ステップＳ２３）、当該スレーブ装置２−３のＩＤ番号をマスタ装置１に返信する（ステップＳ２４）。
【００４４】
次に、スレーブ装置２−３の通信回路２１−３がマスタ装置１からメンテナンスモード切替電文を受信すると、スレーブ装置２−２の制御部２２は通常動作に切り替えてスイッチ回路４−３をオンさせる。
【００４５】
同様に、全てのスレーブ装置２−１〜２−ｎについて、ステップＳ１９，Ｓ２０，Ｓ２１，Ｓ２２の処理を、繰り返し実行する。そして、全てのスレーブ装置が通常動作に戻り、メンテナンス用ＩＤ確認電文に応答が無くなるとＩＤ確認を終了する（ステップＳ２５）。
【００４６】
これにより、スレーブ装置２−１〜２−ｎの結線順の確認と各スレーブ装置２−１〜２−ｎのＩＤ番号のマスタ装置１への登録が可能となる。
【００４７】
（実施例２）
実施例２に係る自動検針システムは、スレーブ装置を増設する場合のＩＤ登録と結線順の確認を行うものである。図５は、本発明の実施例２に係る自動検針システムの構成ブロック図である。図５に示す実施例２では、既にＲＳ４８５通信系統にスレーブ装置２−１〜２−ｎ（例えばｎ＝３０）が接続され、スレーブ装置２−２〜２−ｎの間にスレーブ装置２−ｐを増設している。
【００４８】
増設したスレーブ装置２−ｐは、メンテナンスモードで出荷して、スレーブ装置２−２〜２−ｎの間に設置する（第１処理）。この場合、スレーブ装置２−ｐは、メンテナンスモードであるので、スイッチ回路４−ｐはオフである。
【００４９】
スレーブ装置２−１、スレーブ装置２−２…の結線順に、通常動作のＲＳ４８５通信を行うことにより、通信可能なスレーブ装置と、通信不能のスレーブ装置との間に増設したスレーブ装置２−ｐが結線されたことを確認することができる（第２処理）。
【００５０】
マスタ装置１がメンテナンス用ＩＤ確認電文を各スレーブ装置に送信すると、増設したスレーブ装置２−ｐのみがメンテナンスモードであるため、増設したスレーブ装置２−ｐのみがメンテナンス用ＩＤ確認電文を受信する。
【００５１】
増設したスレーブ装置２−ｐは、自己のＩＤ番号をマスタ装置１に返信し、マスタ装置１からメンテナンスモード切替電文を受信すると、制御部２２は通常動作に切り替えてスイッチ回路４−ｐをオンさせる（第３処理）。
【００５２】
このように系統に多数のスレーブ装置が接続されていても、通信回数が少なくＩＤ自動登録と結線順を確認することができる。なお、結線順の確認が不要である場合には、上記第２処理を省略することもできる。
【００５３】
なお、本発明の自動検針システムは、実施例で述べた電力量計からの電力量の自動検針に限定されることなく、例えば、水道メータからの計量値の自動検針にも適用可能であるのは勿論である。
【符号の説明】
【００５４】
１  マスタ装置
２，２−１〜２−ｎ  スレーブ装置
２−ｐ  増設したスレーブ装置
３ａ，３ｂ  通信線
４−１〜４−ｎ  スイッチ回路
１１，２１  通信回路
１２，２２  制御部
１３，２３  入力部
１４，２４  記憶部
１５  表示部
２１−１〜２１−ｎ  通信回路
２５  計量部
【図１】
2020057142.tif 000003
【図２】
2020057142.tif 000004
【図３】
2020057142.tif 000005
【図４】
2020057142.tif 000006
【図５】
2020057142.tif 000007
【図６】
2020057142.tif 000008